(57)【要約】【課題】カード更新処理にかかる認証データ不整合のトラブルを迅速に解消できるマンション管理システムの提供。【解決手段】集合住宅Ａの各共同玄関に、居住者が持参するカードに記録される認証データを読み込むカードリーダ２ａ，２ｂ，５ａ，５ｂと、記録されている認証データとカードリーダ２ａ，２ｂ，５ａ，５ｂで読み込んだ認証データを識別し、ドア開指令信号を出力するコントローラ１ａ，１ｂ，４ａ，４ｂからのドア開指令信号で解錠する自動ドア装置３ａ，６ａ，３ｂ，６ｂとを備え、コントローラ１ａ，１ｂ，４ａ，４ｂは通信回線Ｂを介して遠隔的に接続されるデータセンターＣより認証データの更新を行うようにしたマンション管理システムにおいて、各コントローラ１ａ，１ｂ，４ａ，４ｂの認証データ不整合を検出する認証データ不整合管理装置１４と、この認証データ不整合装置１４で検出した不整合情報を未復旧一覧として表示する未復旧表示装置１５とを備えたものである。【選択図】図１
2010037721.tif 000002
【特許請求の範囲】
【請求項１】
複数の棟屋で構成される集合住宅の各共同玄関に、居住者が持参するカードに記録される認証データを読み込むカードリーダと、記録されている認証データと前記カードリーダで読み込んだ認証データを識別し、ドア開指令信号を出力するコントローラと、このコントローラからのドア開指令信号で解錠する自動ドア装置とを備え、前記コントローラは通信回線を介して遠隔的に接続されるデータセンターより認証データの更新を行うようにしたマンション管理システムにおいて、各コントローラの認証データ不整合を検出する認証データ不整合管理装置と、この認証データ不整合装置で検出した不整合情報を未復旧一覧として表示する未復旧表示装置と、
を備えたことを特徴とするマンション管理システム。
【請求項２】
請求項１記載のマンション管理システムにおいて、
認証データ不整合管理装置は、認証データの整合を検出すると、当該コントローラの不整合認証データの削除を行うことを特徴とするマンション管理システム。
【発明の詳細な説明】
【技術分野】
【０００１】
本発明はマンション管理システムに係り、特に複数棟で構成されるマンションにおける認証データ更新処理に好適な、マンション管理システムに関する。
【背景技術】
【０００２】
従来、マンション等の集合住宅では、建物の入り口の共同玄関や各居室の玄関に居住者及び居住者固有のカードを含む鍵によってのみ解錠可能なオートロック機能付きの自動ドアやドアを設け、建物や居室内に入れる人物を制限して無用な外来者を防ぐセキュリティーシステムが設置されている。また建物入り口のオートロック付き共同玄関に加え、各階にオートロック機能付きの共同玄関を設けた２重セキュリティを考案したシステムも開示されている。（特許文献１参照）
【特許文献１】特開平０７−１３３６８３号公報
【発明の開示】
【発明が解決しようとする課題】
【０００３】
上記のような２重セキュリティを採用するマンションは高層マンションや複数棟で構成されるマンション等大規模マンションを対象としたものであり、オートロック付の共同玄関は各階や複数棟に分かれて設置され、またオートロックを制御する機器も各階や複数棟に分かれて複数設置されるため、居住者及び居住者固有のカードを含む鍵情報の登録先装置が複数となり、また通信経路が複雑となることから、オートロックを制御する全ての機器に対して同時に鍵情報を登録することができず、登録操作を複数回実施するための操作に手間が掛かることや、登録がどこまで完了しているかが把握できず漏れが生じやすいというような問題点があった。
【０００４】
本発明の目的は、カード更新処理にかかる認証データ不整合のトラブルを迅速に解消できるマンション管理システムを提供することにある。
【課題を解決するための手段】
【０００５】
上記目的を達成するため本発明は、複数の棟屋で構成される集合住宅の各共同玄関に、居住者が持参するカードに記録される認証データを読み込むカードリーダと、記録されている認証データと前記カードリーダで読み込んだ認証データを識別し、ドア開指令信号を出力するコントローラと、このコントローラからのドア開指令信号で解錠する自動ドア装置とを備え、前記コントローラは通信回線を介して遠隔的に接続されるデータセンターより認証データの更新を行うようにしたマンション管理システムにおいて、各コントローラの認証データ不整合を検出する認証データ不整合管理装置と、この認証データ不整合装置で検出した不整合情報を未復旧一覧として表示する未復旧表示装置とを備えたものである。
【０００６】
このようにしたので、鍵情報登録管理にかかる認証データの不整合が発生したとき、未復旧管理装置は更新データの不整合が発生した対象コントローラを漏れなく検出し、未復旧表示装置は未復旧一覧を表示するようにしたので、修正する対象が特定できる。
【発明の効果】
【０００７】
本発明によれば、認証データの更新を一括で実施し、通信回線や融合住宅内の一部のコントローラで不整合が発生した場合でも、不整合対象を未復管理装置にて確認しながら確実に不整合を解消することができるため、カード更新処理にかかるトラブルが発生しにくい。
【発明を実施するための最良の形態】
【０００８】
以下、本発明を実施する為の形態について図面を用いて説明する。
【０００９】
図１は本発明の一実施形態の要部構成を示すブロック図で、図２は本発明の一実施形態の動作を説明するフローチャートである。
【００１０】
図において、マンションＡはＡ棟ＡＡとＢ棟ＡＢからなり、Ａ棟ＡＡの共同玄関と各居室の玄関には、居住者が持参する図示しないカードに記録される認証データを読み込むカードリーダ２ａ，５ａと、図示しないカードに記録されている認証データとカードリーダ２ａ，５ａでそれぞれ読み込んだ認証データを識別しドア開指令信号を出力するコントローラである、ドア制御装置１ａ，４ａと、ドア制御装置１ａからのドア開指令信号で解錠する自動ドア３ａと、ドア制御装置４ａからのドア開指令信号で解錠する電気錠６ａが設けられている。
【００１１】
また、マンションＡのＢ棟ＡＢの共同玄関と各居室の玄関には、居住者が持参する図示しないカードに記録される認証データを読み込むカードリーダ２ｂ，５ｂと、図示しないカードに記録されている認証データとカードリーダ２ｂ，５ｂでそれぞれ読み込んだ認証データを識別しドア開指令信号を出力するコントローラである、ドア制御装置１ｂ，４ｂと、ドア制御装置１ｂからのドア開指令信号で解錠する自動ドア３ｂと、ドア制御装置４ｂからのドア開指令信号で解錠する電気錠６ｂが設けられている。
【００１２】
次に、データセンターＣは、インターネットＢ及びマンションＡに設けられる通信装置７ａ，７ｂを介してドア制御装置１ａ，１ｂ，４ａ，４ｂと通信する通信装置１０と、マンションＡの認証データを記憶する記憶装置１１と認証データをドア制御装置１ａ，１ｂ，４ａ，４ｂへ送信するための操作端末装置１２と、図示しないオペレータが操作端末装置１２からの操作に応じて認証データの送信と、通信装置１０の通信制御、記憶装置１１からの認証データの読出し及び書き込み指令などを行う制御装置１３と、マンションＡ内の認証データ送信結果を管理する認証データ不整合管理装置１４と、マンションＡ内の認証データ不整合を表示する未復旧表示装置１５と認証データの不整合発生を知らせる警報装置１６とで少なくとも構成される。
【００１３】
次に動作の説明を図２のフローチャートを用いて説明する。
【００１４】
まず、マンションＡのＡ棟ＡＡの居住者Ｄは、過去使用していた居住者固有のカードを紛失または破損したため、新規にカード追加の要望を予めデータセンターに実施し、手元に新規認証データの入ったカードが届いたので、マンションＡ内で使用できるようデータセンターＣの図示しないオペレータに依頼をする（ステップＳ１）。
【００１５】
オペレータは、居住者の本人確認をした後、居住者本人に間違いが無い事を確認した上で、操作端末１２より予め送付したカードに記録される認証データを記録装置１１より呼び出し、制御装置１３に対し認証デー夕送信要求を行うと、制御装置１３は、記憶装置１１より対象の認証データを読み出し、通信装置１０から、通信装置７ａ、７ｂを介して、居住者Ａが利用するドアを制御するドア制御装置１ａ、１ｂ、４ａに認証データを送信する（ステップＳ２）。ここで、他居住者が専用で利用し居住者Ｄが利用しないＢ棟ＡＢのドア装置４ｂへは、認証データは送信されないことは言うまでもない。
【００１６】
次に、ドア制御装置１ｂに障害が発生していた場合（ステップＳ３）、通信装置１０はドア制御装置１ｂからの応答が無いため、認証データ不整合管理装置１４に、ドア制御装置１ｂのみ認証データの不整合が発生していることを通知し、認証データの不整合通知を復旧表示装置に当該未復旧情報を表示する（ステップＳ４）。一方、通信装置１０は所定の間隔、回数にて自動リトライ処理を開始する（ステップＳ５）。
【００１７】
通信装置１０は、所定の回数まで自動送信処理を継続したにもかかわらず、認証データの不整合が解決しない場合、通信装置１０は制御装置１３へ送信失敗を通知し、制御装置１３は、警報装置１６にて警報報知を実施する（ステップＳ７）。
【００１８】
警報を聞いた図示しないオペレータは、末復旧表示装置の未復旧情報から、認証データ登録に不整合が発生しているマンションＡのＢ棟ＡＢのドア制御装置１ｂを特定し、操作端末装置１２から手動で認証データ再送信を実施する（ステップＳ８）。ここで、手動による認証データ送信を実施したにもかかわらず、不整合が解決しない場合は、図示しないオペレータは現地に保守員を出動させ、ドア制御装置１ｂ、通信装置７ｂ等の障害を調査特定し、必要に応じて機器を交換し故障を復旧させる（ステップＳ９）。
【００１９】
保守員からの復旧連絡を受けたオペレータは再度、操作端末１２より手動による認証データ送信を実施し（ステップＳｌｌ）、ドア制御装置１ｂから正常登録応答を受信すると（ステップＳ１２）、通信装置１０は、認証データ不整合管理装置１４へ認証データ不整合の解決を通知し、未復旧表示装置１５へ当該不整合情報を未復旧管理一覧表から削除する指令を出力する（ステップＳ１３）。
【００２０】
このような構成としたことで、認証情報の不整合が発生した場合でも、自動処理にて不整合解消処理を行い、それでも解決しない場合でも、警報報知と未復旧一覧管理により、手動操作で確実に不整合を解消することが可能となり、カード更新処理にかかるトラブル未然に防止することができる。
【００２１】
尚、本実施形態では認証データの新規追加について説明しているが、認証データの削除においても適応可能である。
【図面の簡単な説明】
【００２２】
【図１】本発明の一実施形態の要部構成を示すブロック図である。
【図２】本発明の一実施形態の動作を説明するフローチャートである。
【符号の説明】
【００２３】
Ａ  マンション
Ｂ  インターネット網
Ｃ  データセンター
Ｄ  居住者
１ａ，１ｂ，４ａ，４ｂ  ドア制御装置
２ａ，２ｂ，５ａ，５ｂ  カードリーダ
３ａ，３ｂ  自動ドア
７ａ，７ｂ  通信装置
１０  通信装置
１１  記憶装置
１２  操作端末装置
１３  制御装置
１４  認証データ不整合管理装置
１５  未復旧表示装置
１６  警報装置
【図１】
2010037721.tif 000003
【図２】
2010037721.tif 000004